(57)【特許請求の範囲】
【請求項１】
釣り用リールのリールボディの本体部材と前記本体部材に突き合わせ接合される蓋部材との接合面を含む部分の前記本体部材及び前記蓋部材にカバー部材を締結するための釣り用部品の締結構造であって、
前記本体部材及び前記蓋部材の少なくともいずれかの前記接合面に形成される溝部と、
前記本体部材及び前記蓋部材の少なくともいずれかに前記溝部に連通して形成される孔部と、
前記溝部に回転不能に装着されるナット部材と、
前記ナット部材に螺合し、前記孔部に挿入されて前記カバー部材を前記本体部材及び前記蓋部材の両部材に固定するねじ部材と、
を備えた釣り用部品の締結構造。
【請求項２】
前記本体部材及び前記蓋部材の少なくともいずれかは型抜き成形により形成されている、請求項１に記載の釣り用部品の締結構造。
【請求項３】
前記ナット部材は前記溝部に軸方向移動不能に装着される、請求項１又は２に記載の釣り用部品の締結構造。
【請求項４】
前記本体部材及び前記蓋部材の少なくともいずれかには前記ナット部材が当接する突起部が形成されている、請求項３に記載の釣り用部品の締結構造。
【請求項５】
釣り用リールのリールボディの本体部材と前記本体部材に突き合わせ接合される蓋部材との接合面を含む部分の前記本体部材及び前記蓋部材にカバー部材を締結するための釣り用部品の締結構造であって、
前記本体部材及び前記蓋部材の前記接合面にそれぞれ部分的に形成され、前記本体部材及び前記蓋部材が接合されたとき単一の雌ねじとして機能する第１雌ねじ部及び第２雌ねじ部と、
前記第１雌ねじ部及び前記第２雌ねじ部に螺合し、前記カバー部材を前記本体部材及び前記蓋部材の両部材に固定するねじ部材と、
を備えた釣り用部品の締結構造。
【発明の詳細な説明】
【０００１】
【発明の属する技術分野】
本発明は、締結構造、特に、釣り用部品の締結構造に関する。
【０００２】
【従来の技術】
釣り用リールに用いられる釣り用部品は、一般に、釣り用部品に他の釣り用部品を締結するために、従来、小ねじ等のねじ部材がよく採用されている。たとえば、釣り用リールのリールボディの本体部材に蓋部材を小ねじにより締結している。小ねじにより部品を締結する場合、たとえば本体部材にボス部を設け、そのボス部にねじ孔を形成し、蓋部材にそのねじ孔に対向して取付孔を形成し、その取付孔から小ねじを挿入してねじ孔に小ねじを螺合させている。
【０００３】
【発明が解決しようとする課題】
前記従来の釣り用部品の締結構造では、本体部材と蓋部材との２つの部材を小ねじにより締結している。ここでは、たとえば本体部材が合成樹脂やアルミニウム合金等の金属の型抜き成形により形成される場合、特に型の抜き方向とボス部のねじ孔の形成方向が異なるときは、ねじ孔を後加工する必要が生じる。このため、ねじ孔の加工に手間がかかるとともに、工程数の増加により製作コストが増大するおそれがある。
【０００４】
本発明の課題は、釣り用部品の締結構造において、容易かつ安価な構成で釣り用部品を締結することにある。
【０００５】
【課題を解決するための手段】
発明１に係る釣り用部品の締結構造は、釣り用リールのリールボディの本体部材と本体部材に突き合わせ接合される蓋部材との接合面を含む部分の本体部材及び蓋部材にカバー部材を締結するための釣り用部品の締結構造であって、本体部材及び蓋部材の少なくともいずれかの前記接合面に形成される溝部と、本体部材及び蓋部材の少なくともいずれかに溝部に連通して形成される孔部と、溝部に回転不能に装着されるナット部材と、ナット部材に螺合し孔部に挿入されてカバー部材を本体部材及び蓋部材の両部材に固定するねじ部材とを備えている。
【０００６】
この締結構造では、本体部材及び蓋部材の少なくともいずれかには、ナット部材が回転不能に装着される溝部と、ねじ部材が挿入される孔部とが形成されている。
【０００７】
ここでは、たとえばナット部材を本体部材に装着し、本体部材及び蓋部材の接合面側から蓋部材を本体部材に装着する。そして、本体部材及び蓋部材にカバー部材を装着し、ねじ部材をナット部材に螺合させることによりこれらの部材を固定する。
【０００８】
この場合、従来のように本体部材にねじ孔を後加工により形成する必要がないので、容易かつ安価な構成で本体部材及び蓋部材にカバー部材を締結することができる。
【０００９】
発明２に係る締結構造は、発明１のリール本体において、本体部材及び蓋部材の少なくともいずれかは型抜き成形により形成されている。この場合、本体部材及び蓋部材の少なくともいずれかの溝部と孔部とが型抜き成形により形成されるので、釣り用部品の形成が容易になる。
【００１０】
発明３に係る締結構造は、発明１又は２のリール本体において、ナット部材は溝部に軸方向移動不能に装着される。この場合、ナット部材にねじ部材を螺合させやすくなる。
【００１１】
発明４に係る締結構造は、発明１から３のいずれかのリール本体において、本体部材及び蓋部材の少なくともいずれかにはナット部材が当接する突起部が形成されている。この場合、ナット部材の軸方向移動の規制が容易になる。
【００１２】
発明５に係る締結構造は、釣り用リールのリールボディの本体部材と本体部材に突き合わせ接合される蓋部材との接合面を含む部分の本体部材及び蓋部材にカバー部材を締結するための釣り用部品の締結構造であって、本体部材及び蓋部材の接合面にそれぞれ部分的に形成され本体部材及び蓋部材が接合されたとき単一の雌ねじとして機能する第１雌ねじ部及び第２雌ねじ部と、第１雌ねじ部及び第２雌ねじ部に螺合しカバー部材を本体部材及び蓋部材の両部材に固定するねじ部材とを備えている。ここでは、まず、本体部材と蓋部材とを接合し、本体部材及び蓋部材にカバー部材を装着する。そして、第１雌ねじ部及び第２雌ねじ部によって形成された単一の雌ねじにねじ部材を螺合させることによりこれらの部材を固定する。この場合、第１雌ねじ部及び第２雌ねじ部は、たとえば型抜き成形により容易に形成されるので、容易かつ安価な構成で釣り用部品に締結することができる。
【００１３】
【発明の実施の形態】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１４】
リール本体２は、図２に示すように、リールボディ２ａと、リールボディ２ａから斜め上前方に延びる竿取付脚２ｂとを有している。リールボディ２ａの内部には、図２に示すように、収納空間を有しており、その収納空間には、ロータ３をハンドル１の回転に連動して回転させるロータ駆動機構５と、スプール４を前後に移動させて釣り糸を均一に巻き取るためのオシレーティング機構６とが設けられている。
【００１５】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００１６】
第１ロータアーム３１は、円筒部３０から外方に凸に湾曲して前方に延びており、円筒部３０との接続部は円筒部３０の周方向に広がり湾曲している。第１ロータアーム３１の先端の外周側には、第１ベール支持部材４０が揺動自在に装着されている。第１ベール支持部材４０の先端には、釣り糸をスプール４に案内するためのラインローラ４１が装着されている。
【００１７】
第２ロータアーム３２は、円筒部３０から外方に凸に湾曲して前方に延びている。第２ロータアーム３２は、円筒部３０から外方に凸に湾曲して前方に延びており、円筒部３０との接続部は円筒部３０の周方向に広がり湾曲している。第２ロータアーム３２の先端内周側には、第２ベール支持部材４２が揺動自在に装着されている。
【００１８】
ラインローラ４１と第２ベール支持部材４２との間には線材を略Ｕ状に湾曲させた形状のベール４３が固定されている。これらの第１ベール支持部材４０及び第２ベール支持部材４２、ラインローラ４１、ベール４３により釣り糸をスプール４に案内するベールアーム４４が構成される。ベールアーム４４は、図２に示す糸案内姿勢とそれから反転した糸開放姿勢との間で揺動自在である。
【００１９】
スプール４は、図２に示すように、ロータ３の第１ロータアーム３１と第２ロータアーム３２との間に配置されている。スプール４は、たとえばアルミニウム合金を鍛造成形して得られた大小２段の円筒状の部材であり、外周に釣り糸が巻かれる筒状の糸巻胴部４ａと、糸巻胴部４ａの後部に一体成形された大径筒状のスカート部４ｂとを有している。
【００２０】
ロータ駆動機構５は、図２に示すように、ハンドル１が連結されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通しており、ナット１３によりロータ３と固定されている。ピニオンギア１２は、その軸方向の中間部と後端部とが、それぞれ軸受１４ａ、１４ｂを介してリール本体２に回転自在に支持されている。ピニオンギア１２の前部には所定長さの平行な面取り部が形成されている。ピニオンギア１２の面取り部は、ロータ３をピニオンギア１２に回転不能に連結するために形成されている。
【００２１】
オシレーティング機構６は、図２に示すように、スプール４の中心部にドラグ機構８を介して連結されたスプール軸１５を前後方向に移動させてスプール４を同方向に移動させるための機構である。オシレーティング機構６は、スプール軸１５の下方に平行に配置された螺軸１６と、螺軸１６に沿って前後方向に移動するスライダ１７と、螺軸１６の先端に固定された中間ギア１８とを有している。スライダ１７にはスプール軸１５の後端が回転不能に固定されている。中間ギア１８は、図３に示すように、減速機構７を介してピニオンギア１２に噛み合っている。
【００２２】
リールボディ２ａは、図１及び図２に示すように、側部が開口し内部に前述の収納空間を有する本体部材２０と、本体部材２０側部の開口を塞ぐように本体部材２０にねじ止めされる蓋部材２１と、蓋部材２１に着脱可能に取り付けられる小蓋部材２２と、本体部材２０及び蓋部材２１の後方外形に沿って装着されるカバー部材２３とを有している。カバー部材２３は、本体部材２０及び蓋部材２１の突き合わせ接合される３箇所の接合面Ｓ（図４参照）にてねじ部材７０、７１、７２により着脱自在に固定されている。ねじ部材７１は、本体部材２０に装着されたナット部材２５に螺合している。
【００２３】
ねじ部材７１により締結される部分の構造について、以下により詳細に説明する。
【００２４】
本体部材２０には、図３及び図４に拡大して示すように、蓋部材２１（図１参照）との接合面Ｓ（図４参照）に形成されナット部材２５が回転不能に装着される溝部２０ａと、溝部２０ａと連通しねじ部材７１が挿入される孔部２０ｂとが形成されている。本体部材２０は型抜き成形により形成されており、溝部２０ａ及び孔部２０ｂは１回の型抜き成形で同時に形成される。
【００２５】
ナット部材２５は、図３及び図４に拡大して示すように、内周にねじ孔が形成された六角筒状の部材である。本体部材２０の溝部２０ａは、ナット部材２５が本体部材２０に回転不能に係合するように一部が六角筒状になるように形成されている。
【００２６】
ここでは、まず、ナット部材２５を接合面Ｓ側から本体部材２０に装着し、蓋部材２１を側部から本体部材２０に装着する。そして、本体部材２０及び蓋部材２１の後方からカバー部材２３を装着し、ねじ部材７１をナット部材２５に螺合させることによりこれらの部材を固定する。
【００２７】
このように構成されたスピニングリールでは、本体部材２０には、ナット部材２５が回転不能に装着される溝部２０ａと、ねじ部材７１が挿入される孔部２０ｂとが形成されている。ここでは、従来のように本体部材２０自身にねじ孔を後加工により形成する必要がないので、容易かつ安価な構成で本体部材２０を締結することができる。
【００２８】
〔他の実施形態〕
（ａ）  図５に示すように、本体部材２０には溝部２０ａの端部にナット部材２５が当接する突起部２０ｃが形成されていてもよい。この場合、溝部２０ａ及び突起部２０ｃによりナット部材２５を囲むように装着することができるので、ナット部材２５の軸方向移動の規制が容易になる。
【００２９】
（ｂ）  前記実施形態では、ナット部材２５が装着される溝部２０ａ及び孔部２０ｂは本体部材２０に設けられていたが、本体部材２０及び蓋部材２１または蓋部材２１のみに溝部及び孔部を設けてもよい。
【００３０】
（ｃ）  前記実施形態では、本体部材２０が竿取付脚２ｂと一体成形されていたが、蓋部材２１が竿取付脚２ｂと一体成形されていてもよい。
【００３１】
（ｄ）  図６及び図７に示すように、本体部材２０及び蓋部材２１の接合面Ｓに第１雌ねじ部２０ｄ及び第２雌ねじ部２１ａをそれぞれ形成してもよい。ここでは、本体部材２０及び蓋部材２１に図示しないカバー部材を装着し、本体部材２０及び蓋部材２１を接合したときに第１雌ねじ部２０ｄ及び第２雌ねじ部２１ａにより形成される単一の雌ねじにねじ部材７１を螺合させてこれらの部材を固定する。
【００３２】
【発明の効果】
本発明によれば、釣り用部品の締結構造において、第１釣り用部品及び第２釣り用部品の少なくともいずれかには、ナット部材が回転不能に装着される溝部と、ねじ部材が挿入される孔部とが形成されているので、容易かつ安価な構成で釣り用部品を締結できる。
【図面の簡単な説明】
【図１】  本発明の一実施形態を採用したスピニングリールの左側面図。
【図２】  前記スピニングリールの左側面断面図。
【図３】  ナット部材周辺の拡大断面図。
【図４】  本体部材及びナット部材の拡大断面図。
【図５】  他の実施形態の図３に相当する図。
【図６】  他の実施形態の雌ねじ部周辺の拡大断面図。
【図７】  他の実施形態の周辺の拡大断面図。
【符号の説明】
２  リール本体
２ａ  リールボディ
２ｂ  竿取付脚
２０  本体部材
２０ａ  溝部
２０ｂ  孔部
２０ｃ  突起部
２０ｄ  第１雌ねじ部
２１  蓋部材
２１ａ  第２雌ねじ部
２３  カバー部材
２５  ナット部材
７１  ねじ部材
Ｓ  接合面
【図１】
0003913510.tif 000002
【図２】
0003913510.tif 000003
【図３】
0003913510.tif 000004
【図４】
0003913510.tif 000005
【図５】
0003913510.tif 000006
【図６】
0003913510.tif 000007
【図７】
0003913510.tif 000008